(57)【特許請求の範囲】
【請求項１】
回転炉床炉から排出され且つ揮発成分を含む排ガスからの熱回収に使用されるレキュペレータの運転方法であって、
前記レキュペレータは、
前記排ガスの流路が上方から下方に延びる第一エレメントと、
前記第一エレメントの後段に配置されており且つ排ガスの流路が下方から上方に延びる第二エレメントと、
前記第一エレメントと前記第二エレメントの接続部をなすとともに、発生したダストを捕集するダスト捕集部と、
前記ダスト捕集部に設けられたダスト排出用装置と、
最後段のエレメントから最前段の前記第一エレメントに向けて冷却用の空気を流すための空気用流路と、
前記排ガスの前記流路の上流側に設けられた冷風又は加圧水の供給用開口と、
を備え、前記第一エレメントから前記最後段のエレメントに向けて前記空気用流路を空気が流れるように、空気の流れ方向を変更自在であり、
当該運転方法は、
前記第一エレメント内の排ガスの流路を上方から下方に向けて排ガスを流すとともに前記第二エレメント内の排ガスの流路を下方から上方に向けて排ガスを流す工程と、
前記ダスト捕集部において捕集されたダストを前記ダスト排出用装置によって前記ダスト捕集部から排出する工程と、
前記回転炉床炉に供給される原料の亜鉛濃度に応じて実施される以下の工程Ａ、工程Ｂ及び工程Ｃ：
（工程Ａ）前記原料の亜鉛濃度が０．６質量％未満であるとき、前記最後段のエレメントから前記第一エレメントに向けて前記空気用流路に冷却用の空気を流す工程；
（工程Ｂ）前記原料の亜鉛濃度が０．６質量％超１．５質量％以下であるとき、前記最後段のエレメントから前記第一エレメントに向けて前記空気用流路に冷却用の空気を流すとともに、前記供給用開口から冷風及び／又は加圧水を導入することによって、前記レキュペレータに導入される排ガスの温度を低下させる工程；
（工程Ｃ）前記原料の亜鉛濃度が１．５質量％超４．０質量％以下であるとき、前記原料の亜鉛濃度が４．０質量％未満であるときよりも前記冷却用の空気の量を増加させるとともに、前記冷却用の空気が前記第一エレメントから前記最後段のエレメントに向けて流れるように空気吹込み方向を変更する工程；
とを備える、レキュペレータの運転方法。
【請求項２】
前記レキュペレータは、排ガス側の伝熱面に付着したダストを機械的に掻き落す機構を有する、請求項１に記載のレキュペレータの運転方法。
【請求項３】
前記レキュペレータは、排ガス側の伝熱面に向けて空気を噴射するノズルを有する、請求項１に記載のレキュペレータの運転方法。
【請求項４】
回転炉床炉から排出され且つ揮発成分を含む排ガスが導入される排ガス処理設備の運転方法であって、
前記排ガス処理設備は、
前記排ガスからの熱回収に使用されるレキュペレータと、
前記排ガスに水を吹きかけることによって排ガスを冷却する冷却器と、
前記レキュペレータ及び前記冷却器の一方又は両方に前記排ガスが導入されるように前記排ガスの流路を切り替える切換え弁と、
を備え、
前記レキュペレータは、
前記排ガスの流路が上方から下方に延びる第一エレメントと、
前記第一エレメントの後段に配置されており且つ排ガスの流路が下方から上方に延びる第二エレメントと、
前記第一エレメントと前記第二エレメントの接続部をなすとともに、発生したダストを捕集するダスト捕集部と、
前記ダスト捕集部に設けられたダスト排出用装置と、
最後段のエレメントから最前段の前記第一エレメントに向けて冷却用の空気を流すための空気用流路と、
前記排ガスの前記流路の上流側に設けられた冷風又は加圧水の供給用開口と、
を備え、前記第一エレメントから前記最後段のエレメントに向けて前記空気用流路を空気が流れるように、空気の流れ方向を変更自在であり、
当該運転方法は、
前記原料の亜鉛濃度が４．０質量％以下であるとき、前記排ガスの全量を前記レキュペレータに導入し、請求項１〜３のいずれか一項に記載のレキュペレータの運転方法を実施し、
前記原料の亜鉛濃度が４．０質量％超であるとき、以下の工程Ｄ：
（工程Ｄ）前記切換え弁を操作することによって前記排ガスの全量又は一部を前記冷却器に導入し、前記冷却器において前記排ガスを冷却する工程；
を実施する、排ガス処理設備の運転方法。
【発明の詳細な説明】
【技術分野】
【０００１】
本発明は、回転炉床炉から排出され且つ揮発成分を含む排ガスからの熱回収に使用されるレキュペレータ及びこれを備える排ガス処理設備の運転方法に関する。
【背景技術】
【０００２】
回転炉床炉やトンネル炉などの金属還元処理設備からは、原料に含まれる揮発成分を含んだ排ガスが排出される。揮発成分としては、亜鉛、鉛、塩素等が挙げられる。これらの揮発成分を含む排ガスは、排ガス処理設備に送られる。排ガス処理設備は、高温の排ガスからの熱回収を目的として廃熱回収装置（ボイラ、レキュペレータなど）を備え、これらの装置内において伝熱面を介して高温の排ガスと冷媒との熱交換が行われる。
【０００３】
揮発成分を含む排ガスの温度が低下すると揮発成分が固化してダストが発生し、これが熱交換器の伝熱面に付着する。ダストの付着量が増大すると熱交換器の熱回収率が低下し、更にこれが進行するとガス流路が閉塞して操業停止につながる。これを未然に防ぐため、定期的に排ガス処理設備を停止して清掃する必要がある。しかし、高い頻度で排ガス処理設備を清掃しなければならない場合、金属還元処理設備の稼働率が著しく低下する。
【０００４】
排ガス処理設備の高い稼働率、ひいては金属還元処理設備の高い稼働率を維持するため、例えば、下記特許文献１に示されるように、熱交換器の上流側の排ガス経路内に冷媒（空気又は水）を供給する対策が知られている。熱交換器に導入される排ガス温度を低下させることで、熱交換器の伝熱面にダストが強固に付着するのを防止できる。
【先行技術文献】
【特許文献】
【０００５】
【特許文献１】特開２００１−３３１７３号公報
【発明の概要】
【発明が解決しようとする課題】
【０００６】
金属還元処理設備の後段に配置される熱交換器内においては、上述のとおり、排ガスの温度低下に伴って排ガスからダストが発生する。従来の熱交換器は、発生したダストが多い場合、効率的に排出することができない可能性があり、この点において改善の余地があった。
【０００７】
本発明は、上記課題を解決すべくなされたものであり、温度低下に伴って排ガスから発生したダストを効率的に排出できるレキュペレータ及びこれを備える排ガス処理設備の運転方法を提供することを目的とする。
【課題を解決するための手段】
【０００８】
本発明に係るレキュペレータは、回転炉床炉から排出され且つ揮発成分を含む排ガスの流路が上方から下方に延びる第一エレメントと、第一エレメントの後段に配置されており且つ排ガスの流路が下方から上方に延びる第二エレメントと、第一エレメントと第二エレメントの接続部をなすとともに発生したダストを捕集するダスト捕集部と、ダスト捕集部に設けられたダスト排出用装置と、最後段のエレメントから最前段の第一エレメントに向けて冷却用の空気を流すための空気用流路と、排ガスの流路の上流側に設けられた冷風又は加圧水の供給用開口とを備える。
【０００９】
上記レキュペレータは複数のエレメントからなる。通常、最初に高温の排ガスが導入される最前段のエレメント（第一エレメント）において排ガスの温度低下によって多量のダストが発生し、後段のエレメントにいくに従ってダストの発生量は少なくなる。このため、第一エレメントで大量に発生するダストがダスト捕集部に捕集されやすいように、第一エレメント内には排ガスが上方から下方に流れるように流路を設け、その後段の第二エレメント内には排ガスが下方から上方に流れるように流路を設け、これらの流路の間にダスト捕集部を設けている。
【００１０】
冷媒として空気を利用した熱交換器においては、高い熱回収率の観点から、上述のとおり、最後段のエレメントから最前段の第一エレメントに向けて冷却用の空気を流すのが一般的である。本発明においては、排ガスを急冷する必要が生じた場合などのために、第一エレメントから最後段のエレメントに向けて空気用流路を空気が流れるように、つまり、排ガスの流れと並行流となるように、空気の流れ方向を変更自在である。排ガスを急冷することによって、排ガスに含まれる揮発成分が一気に固化してダストとなり、ダストが伝熱面に融着するのを抑制できる。これに対し、排ガスの急冷が不十分であると、揮発成分が液化したものが伝熱面に融着し、伝熱面上で固化する。伝熱面上に融着した固化物は伝熱面に強固に付着し、その除去作業に多大な労力と時間を要する。
【００１１】
上記レキュペレータは、その上流側の排ガス流路に設けられた冷風又は加圧水の供給用開口を備える。かかる開口を設けることで、レキュペレータに排ガスが導入されるに先立って排ガスの温度を下げることができ、レキュペレータの伝熱面に揮発成分が融着するのを抑制できる。
【００１２】
上記レキュペレータは、排ガス側の伝熱面に向けて空気を噴射するノズルを有してもよい。ノズルから連続的又は断続的に空気を噴射することで、伝熱面に付着したダストを取り除くことができ、これにより、高い熱回収率を維持できる。
【００１３】
本発明は、上記レキュペレータの運転方法を提供する。当該レキュペレータの運転方法は、第一エレメント内の排ガスの流路を上方から下方に向けて排ガスを流す工程と、最後段のエレメントから第一エレメントに向けて冷却用の空気を流す工程とを備える。このように排ガスを流すことによって、第一エレメントにおいて大量に発生するダストをダスト捕集部で効率的に捕集できる。
【００１４】
上述のとおり、レキュペレータが空気の流れ方向を変更自在な構成であるため、上記運転方法は、排ガスから発生するダスト量に応じて、冷却用の空気が第一エレメントから最後段のエレメントに向けて流れるように、空気の流れ方向を変更する工程を更に備えてもよい。例えば、回転炉床炉に供給される原料の亜鉛濃度に応じて、冷却用の空気の流れ方向を変更してもよい。
【発明の効果】
【００１５】
本発明によれば、温度低下に伴って排ガスから発生したダストを効率的に排出できるレキュペレータ及びこれを備える排ガス処理設備の運転方法が提供される。
【図面の簡単な説明】
【００１６】
【図１】本発明の実施形態に係る熱交換器（レキュペレータ）を備えた排ガス処理設備を模式的に示す概略構成図である。
【図２】レキュペレータ（熱交換器）の内部構造を模式的に示す断面図である。
【図３】レキュペレータの１〜４段目の各エレメント内において固化する揮発分の量を示すグラフである。
【図４】レキュペレータの１段目のエレメント内における排ガスとダストの移動方向を示す模式図である。
【図５】（ａ）はレキュペレータにおいて排ガスと冷却空気とを対向流とした状態を示す模式図であり、（ｂ）は排ガスと冷却空気とを並行流とした状態を示す模式図である。
【図６】レキュペレータ内の排ガス及び冷却空気の温度を示すグラフである。
【図７】原料の亜鉛濃度に応じて取るべきダスト付着防止対策の例を示すリストである。
【図８】本発明に係る排ガス処理設備の他の実施形態を模式的に示す概略構成図である。
【図９】本発明に係る排ガス処理設備の他の実施形態を模式的に示す概略構成図である。
【図１０】従来の排ガス処理設備の一例を示す概略構成図である。
【図１１】従来のレキュペレータの１段目のエレメント内における排ガスとダストの移動方向を示す模式図である。
【発明を実施するための形態】
【００１７】
以下、図面を参照しながら、本発明の好適な実施形態について詳細に説明する。なお、説明において、同一要素又は同一機能を有する要素には同一符号を用いることとし、重複する説明は省略する。
【００１８】
＜排ガス処理設備＞
図１は、本発明の実施形態に係る熱交換器（レキュペレータ）を備えた排ガス処理設備を模式的に示す概略構成図である。同図に示す排ガス処理設備５０は、回転炉床炉（金属還元処理設備）１からの排ガスから熱を回収するとともに、排ガスからダストを分離除去するためのものである。ここでは、回転炉床炉１からの排ガスを処理する場合を例示するが、回転炉床炉１以外の金属還元処理設備からの排ガス処理に排ガス処理設備５０を使用してもよい。
【００１９】
回転炉床炉１は、酸化金属を還元して金属を回収するための装置である。回転炉床炉１は環状の炉床を有し、その上に原料ペレットが敷き詰められ、この状態で炉床が回転することによって高温の炉内を原料ペレットが移動する。原料ペレットは、酸化金属を含む粉体と炭素系還元剤との混合物をペレット状にしたものである。炉床上において原料ペレットが１２００〜１３５０℃程度の温度で５〜２０分程度にわたって熱処理されると、還元剤が酸化金属を還元して金属が得られる。この還元剤の燃焼と、炉内を加熱するための燃料の燃焼によって高温の排ガスが発生する。排ガスの温度は、回転炉床炉１の出口（ダクト２の入口）において９００〜１２００℃程度である。排ガスは原料ペレットから揮発した成分を含有する。揮発成分の具体例としては、亜鉛、鉛、アルカリ金属などの揮発性金属、及び、塩素などが挙げられる。
【００２０】
排ガス処理設備５０は、回転炉床炉１のダクト２に接続されたボイラ３と、レキュペレータ（熱交換器）５と、スプレー冷却塔（冷却器）６と、バグハウス７と、誘引ファン８と、煙突９とを備える。ボイラ３の出口に接続された管路Ｌ１は途中で分岐し、一方の管路Ｌ１ａはレキュペレータ５に接続され、他方の管路Ｌ１ｂはスプレー冷却塔６に接続されている。レキュペレータ５の出口に接続された管路Ｌ２ａと、スプレー冷却塔６の出口に接続された管路Ｌ２ｂは合流して一つの管路Ｌ２となり、バグハウス７に至る。管路Ｌ１ａ，Ｌ１ｂ及び管路Ｌ２ａ，Ｌ２ｂの途中には開閉弁（切換え弁）Ｖ１−Ｖ４が設けられており、これらを操作することで排ガスの流路を切り換えられるようになっている。バグハウス７の出口と煙突９は管路Ｌ３で接続されており、管路Ｌ３の途中に誘引ファン８が設けられている。
【００２１】
排ガス処理設備５０においては、レキュペレータ５とスプレー冷却塔６が並列に設けられ且つ開閉弁Ｖ１−Ｖ４が管路に配設されている。これにより、排ガスから発生するダスト量に応じて排ガスの行き先をレキュペレータ５とするか、又はスプレー冷却塔６にするか選択することができ、更にレキュペレータ５及びスプレー冷却塔６の両方に排ガスを流入させることもできる。このため、回転炉床炉１に供給される原料の組成及び量の変動に伴ってダストの発生量が大きく変動しても、適切に排ガス処理を実施できる。以下、各構成について説明する。
【００２２】
ボイラ３は、高温の排ガスの熱を利用して水蒸気を発生させるためのものである。ボイラ３は、ダクト２の出口と接続されている。
【００２３】
レキュペレータ５は、伝熱面を介して排ガスと冷却空気（冷媒）との熱交換を行うためのものである。レキュペレータ５によって、排ガスの熱が回収されるとともに、温度が低下した排ガスから揮発成分が凝固し、これをダストとして分離除去できる。本実施形態におけるレキュペレータ５は、４つのエレメントＥ１−Ｅ４からなる。図２は、一段目のエレメントＥ１の内部構造を模式的に示す横断面図である。同図に示すように、エレメントＥ１内には複数の扁平管路５ａが設けられており、これらの管路５ａ内を冷却空気が流れ、管路５ａの外面（伝熱面）５ｂと外枠の内面５ｃによって画される流路５ｄを排ガスが流れる。エレメントＥ２−４はエレメントＥ１と同様の構成を有する。レキュペレータ５の各エレメントは、管路５ａの外面５ｂに向けて空気を噴射するノズル５ｅを有してもよい。ノズル５ｅから連続的又は断続的に空気を噴射することで、管路５ａの外面５ｂに付着したダストを取り除くことができ、これにより高い熱回収率を維持できる。高い熱回収率を維持するため、管路５ａの外面５ｂに付着したダストを機械的に掻き落とす機構を採用してもよい。なお、ボイラ３における排ガスの管路内にノズル５ｅと同様のノズル（図示せず）を設置してもよい。
【００２４】
４つのエレメントＥ１−Ｅ４は、直列に配置されており、排ガスの流路の最も上流側にエレメント（第一エレメント）Ｅ１が設けられ、その後段にエレメントＥ２（第二エレメント）及びエレメントＥ３が続き、排ガスの流路の最も下流側にエレメントＥ４が設けられている。なお、エレメントの数は４つに限定されるものではない。
【００２５】
高温の排ガスが導入されるエレメントＥ１では、排ガスの温度低下によって多量のダストが発生する。その後のエレメントＥ２−Ｅ４においては、エレメントＥ１と比較するとダスト発生量は少ない（図３参照）。本実施形態においては、図４に示すように、エレメントＥ１内の流路５ｄ内を排ガスが上方から下方に流れ、エレメントＥ２内の流路５ｄ内を排ガスが下方から上方に流れる。白い矢印Ｇは排ガスの流れ方向を示し、グレーの矢印Ｄはダストの移動方向を示す。エレメントＥ１とエレメントＥ２の接続部、すなわち、排ガスの流れが下方から上方に変化する部分にダスト捕集部５ｆが設けられている。かかる構成により、温度低下に伴って排ガスから発生したダストをダスト捕集部５ｆにおいて効率的に分離できる。エレメントＥ３とエレメントＥ４の接続部にもダスト捕集部５ｆが設けられている。ダスト捕集部５ｆにはダスト排出用装置５ｇが設けられている。ダスト排出用装置５ｇは、例えば、ダスト捕集部５ｆ内に配置したスクリューコンベアと、これによって運ばれたダストを排出するロータリーバルブと備えた構成とすることができる。
【００２６】
エレメントＥ１で十分量のダストを発生させる観点から、エレメントＥ１の出口における排ガス温度は好ましくは５００〜４００℃である。
【００２７】
冷却空気は、ファン１０によってエレメントＥ４に導入され、エレメントＥ３，Ｅ２，Ｅ１を順次通過し、熱を吸収した空気がエレメントＥ１から排出される。高い熱回収率の観点から、エレメントＥ４からエレメントＥ１に向けて冷却空気を流すのが一般的である（図５（ａ）参照）。本実施形態においては、排ガスを急冷する必要が生じた場合などのために、エレメントＥ１からエレメントＥ４に向けて流路を空気が流れるように、つまり、排ガスの流れと並行流となるように、空気の流れ方向を変更できるように構成されている（図５（ｂ））。具体的には、冷却空気用の管路に複数の弁を設け、レキュペレータ５に対する冷却空気の入口と出口とを切り替えることができるようにすればよい。
【００２８】
図６は、レキュペレータ５内の排ガス及び冷却空気の温度を示すグラフである。実線は冷却空気の流れが排ガスに対して対向流とした場合を示し、一点鎖線は冷却空気の流れを排ガスと並行流とした場合を示す。図６に示すように、並行流とすることによって回収熱量が低下する反面、エレメントＥ１（１段目）における排ガスの温度低下が顕著となる。排ガスを急冷することによって、排ガスに含まれる揮発成分が一気に固化してダストとなり、ダストが管路５ａの外面５ｂに融着するのを抑制できる。これにより、レキュペレータ５の清掃作業に要する労力及び時間を軽減できる。
【００２９】
レキュペレータ５で十分量のダストを発生させる観点から、レキュペレータ５の出口（エレメントＥ４の出口）における排ガス温度は好ましくは３００℃以下である。レキュペレータ５に導入される排ガスの温度を事前に下げられるように、レキュペレータ５の上流側の排ガス流路（例えば管路Ｌ１）に冷風又は加圧水の供給用開口５ｈを設けてもよい。開口５ｈから冷風又は加圧水を供給することで、レキュペレータ５に排ガスが導入されるに先立って排ガスの温度を下げることができ、レキュペレータ５の伝熱面に揮発成分が融着するのを抑制できる。
【００３０】
なお、図１０は従来のレキュペレータを備えた排ガス処理設備の一例を示す概略構成図である。同図に示す排ガス処理設備６０は、スプレー冷却塔６を具備せず、またレキュペレータ５´の４つのエレメントの配置が本実施形態に係る排ガス処理設備５０と相違する。まず、スプレー冷却塔６を具備しないため、ボイラ３を出た排ガスを常にレキュペレータ５´に導入せざるを得ず、ダスト発生量の変動に対して柔軟に対応することができない。また、排ガス処理設備６０においては、敷地面積削減の観点から、エレメントＥ１´，Ｅ２´が縦方向に並び、エレメントＥ３´，Ｅ４´も縦方向に並んでいる。図１１に示すとおり、ボイラ３からの排ガスはエレメントＥ１´内を上方に流れる。一方、エレメントＥ１´内で発生したダストは重力によって下方に落ちようとする。しかし、上向きの排ガスによってダストが沈降しにくく、ダストの分離除去を十分効率的に行うことができないおそれがある。
【００３１】
スプレー冷却塔６は、レキュペレータ５と並列に設けられており、必要に応じて排ガスを急冷するためのものである。スプレー冷却塔６においては、水が排ガスに対して噴射される。スプレー冷却塔６においてどの程度にまで排ガス温度を低下させるかによるが、水の噴射量は結露及び含水ダストに起因するトラブルが生じないように必要最小限にとどめることが好ましい。
【００３２】
バグハウス７は、その内部にバグフィルタが収容されており、管路Ｌ２から導入される排ガスの除塵処理を行うためのものである。バグハウス７の入口における排ガス温度は好ましくは１２０〜１９０℃であり、より好ましくは１５０〜１８０℃である。排ガス温度が１２０℃未満であるとバグハウス７内において酸腐食が発生しやすく、他方、１９０℃を超えるとバグフィルタの焼損が生じやすい。管路Ｌ２には空気供給用ダクト７ａが設けられており、ダクト７ａから管路Ｌ２内に空気を導入することによってバグハウス７に供給される排ガス温度を低下させることができる。なお、バグハウス７の代わりに、他の集塵機を採用してもよく、例えば、湿式スクラバー、電気集塵機などが挙げられる。
【００３３】
バグハウス７からの排ガスは管路Ｌ３を介して煙突９に導入され、煙突９の先端から大気に放出される。なお、レキュペレータ５において排ガスによって加熱された空気は、例えば、回転炉床炉１に送られ、燃料を燃焼させるための空気として利用される。
【００３４】
＜排ガス処理方法＞
次に、上記排ガス処理設備５０によって排ガスを処理する方法について説明する。本実施形態に係る排ガス処理方法は、排ガスから発生するダスト量に応じて、より具体的には、回転炉床炉１に供給される原料の亜鉛濃度に応じて、レキュペレータ５における冷却空気の流れ方向を変更するとともに（図７（４）空気吹込み方向変更）、レキュペレータ５及びスプレー冷却塔６の一方又は両方を使用するかを選択する（図７（５）スプレー冷却塔（併用／切換））。図７は、原料の亜鉛濃度を４段階の領域に分けた場合、各段階において実施すべき操業対策のリストである。なお、以下の対策は、原料の亜鉛濃度に依らず適宜実施してもよいし、あるいは、実施しなくてもよい。
【００３５】
（１）冷風吹込み及び（２）加圧水吹込みは、原料の亜鉛濃度が少量（例えば０．６質量％超１．５質量％以下）であるときに実施される対策である。開口５ｈから冷風及び／又は加圧水を導入することで、排ガス温度を低下させ、排ガス中ダストを積極的に固化させて、揮発成分が設備に融着するのを防止する。排ガス風量を少なく抑えるため、吹込み量当たりの温度低減効果の高い加圧水を、排ガス水分が所定のレベル（例えば１０％）に到達するまでは優先して使用し、以降、冷風にてガス温度を低減することが好ましい。排ガス水分が１０％を超えてまで加圧水を導入すると、バグハウス７において、水分による目詰まりや結露による不具合が生じやすくなる。
【００３６】
（３）冷却空気量増加は、原料の亜鉛濃度が中程度（例えば１．５質量％超４．０質量％以下）であるときに実施される対策である。レキュペレータ５の冷却空気量を増加させることで管路５ａの外面温度を下げ、管路５ａの外面５ｂにおいてダストを積極的に固化させて、揮発成分が設備に融着するのを防止する。レキュペレータ５における排ガスの圧力損失をモニタリングし、その値が増大したときに適宜実施してもよい。
【００３７】
（４）空気吹込み方向変更は、原料の亜鉛濃度が中程度（例えば１．５質量％超４．０質量％以下）であるときに実施される対策である。レキュペレータ５のエレメントＥ１において排ガスを急冷することによって、排ガスに含まれる揮発成分が一気に固化してダストとなり、ダストが管路５ａのダスト捕集部５ｂに融着するのを抑制できる（図５，６参照）。
【００３８】
（５）スプレー冷却塔（併用／切換）は、原料の亜鉛濃度が多量（例えば４．０質量％超）であるときに実施される対策である。ダスト付着が激しいレキュペレータ５を使用しないため、あるいは、レキュペレータ５による排ガス処理量を低減するため、排ガスの全量又は一部をスプレー冷却塔６に導入し、スプレー冷却塔６において排ガスの冷却を行う。
【００３９】
（６）オンラインエアパージは、図７に示すように、常時、実施することができる対策であり、ボイラ３又はレキュペレータ５内の排ガスが流れる管路の壁面に向けてノズル（例えばノズル５ｅ）から空気を噴射することによって付着したダストを吹き飛ばすことができる。
【００４０】
（７）レキュペレータバイパスは、レキュペレータ５の清掃作業をする際、排ガスを一時的にスプレー冷却塔６に導入することによって、レキュペレータ５の清掃時においても操業を継続するための対策である。
【００４１】
（８）オフラインスートブローは、ボイラの清掃時間を短縮するための対策である。原料の亜鉛濃度が中程度以上の場合にボイラ３においてスートブローを実施する。
【００４２】
通常の操業を行っているとき、並びに、上記（１）（２）を実施しているときなどにおけるレキュペレータ５の運転方法は、エレメントＥ１内の排ガス流路５ｄを上方から下方に向けて排ガスを流す工程と、エレメントＥ４からエレメントＥ１に向けて冷却用の空気を流す工程とを備える（図５（ａ）参照）。このように排ガスを流すことによって、エレメントＥ１において大量に発生するダストをダスト捕集部５ｆで効率的に捕集できる。
【００４３】
上記（３）を実施するときには、冷却用の空気がエレメントＥ１からエレメントＥ２に向けて流れるように、空気の流れ方向を変更する工程を実施する。
【００４４】
本実施形態に係る排ガス処理方法においては、レキュペレータ５及びスプレー冷却塔６のうちの一方を使用して排ガス処理設備５０の操業を継続しながら、他方の清掃作業を行うことができる。本実施形態によれば、保守点検のために操業を停止せざるを得ない期間を最小限にとどめることができ高い稼働率を実現できる。
【００４５】
本実施形態によれば、揮発成分含有量が０．１〜１０質量％もしくはこれ以上の範囲で変動し得る排ガスが処理対象であっても、レキュペレータ５及びスプレー冷却塔６の一方又は両方に排ガスを導入するように流路を切り換えることで、柔軟に排ガス処理を実施することができる。例えば、ダスト量が少ないときにはレキュペレータ５を使用し、ダスト量が多いときにはスプレー冷却塔６を使用し、ダスト量が更に多いときにはレキュペレータ５とスプレー冷却塔６とを併用することもできる。なお、スプレー冷却塔６による冷却が必要な場合にのみ実施することで、結露及び含水ダストに起因するトラブルを最小限にとどめることができる。
【００４６】
本実施形態によれば、レキュペレータ５において温度低下に伴って排ガスから発生したダストを効率的に分離できる。このため、レキュペレータ５の後段のバグハウス７の負担を軽減できる。
【００４７】
以上、本発明の好適な実施形態について詳細に説明したが、本発明は上記実施形態に限定されるものではない。例えば、上記実施形態においては、ボイラ３を通過した後の排ガスの移送先をレキュペレータ５又はスプレー冷却塔６に切り替え可能の態様を例示したが、図８に示すようにダクト２からの管路を途中で分岐して一方の管路２ａをボイラ３に接続し、他方の管路２ｂをスプレー冷却塔６に接続するとともに、これらの管路内に開閉弁Ｖａ，Ｖｂをそれぞれ設けることで、ダクト２からの排ガスの移送先を切り替えが可能としてもよい。例えば開閉弁Ｖａを閉じ、開閉弁Ｖｂを開くことによって、排ガスをスプレー冷却塔６に導入することができ、ボイラ３及びレキュペレータ５をバイパスさせることができる。当該構成はボイラ３内におけるダストの固着が顕著なることが予想される場合やボイラ３の清掃作業による運転停止時にも操業を継続する場合などに有用である。図９に示すように分岐した管路２ｂを管路Ｌ１ｂに連通させてもよい。この場合、開閉弁Ｖａ，Ｖｂを含む複数の開閉弁を操作することによってダスト発生状況等に合わせて排ガスの移送先を柔軟に変更することが可能となる。
【００４８】
また、上記実施形態において、金属還元処理設備として回転炉床炉１を例示し、回転炉床炉１からの排ガスを排ガス処理設備５０で処理する場合を説明したが、トンネル炉、ロータリーキルン又はシャフト炉からの排ガスを排ガス処理設備５０で処理してもよい。
【００４９】
更に、上記実施形態においては、特に好ましい例として、冷媒として空気を使用するレキュペレータ５を採用した場合を挙げたが、レキュペレータ５の代わりに、排ガスとの熱交換が可能な熱交換器を採用してもよい。例えば、冷媒として空気の代わりに水などの液体を使用する熱交換器を使用してもよい。
【符号の説明】
【００５０】
１…回転炉床炉（金属還元処理設備）、３…ボイラ、５…レキュペレータ（熱交換器）、５ａ…扁平管路（空気用流路）、５ｂ…扁平管路の外面（伝熱面）、５ｄ…排ガスの流路、５ｅ…ノズル、５ｆ…ダスト捕集部、５ｈ…供給用開口、６…スプレー冷却塔（冷却器）、５０…排ガス処理設備、Ｅ１…エレメント（第一エレメント）、Ｅ２…エレメント（第二エレメント）、Ｅ３…エレメント、Ｅ４…エレメント（最後段のエレメント）、Ａ…空気の流れを示す矢印、Ｄ…ダストの沈降方向を示す矢印、Ｇ…排ガスの流れを示す矢印、Ｖ１，Ｖ２，Ｖ３，Ｖ４，Ｖａ，Ｖｂ…開閉弁（切換え弁）。
【要約】
【課題】温度低下に伴って排ガスから発生したダストを効率的に排出できる熱交換器及びその運転方法を提供する。
【解決手段】本発明に係る熱交換器は、金属還元処理設備から排出され且つ揮発成分を含む排ガスの流路が上方から下方に延びる第一エレメントと、第一エレメントの後段に配置されており且つ排ガスの流路が下方から上方に延びる第二エレメントと、第一エレメントと第二エレメントの接続部をなすとともに発生したダストを捕集するダスト捕集部と、最後段のエレメントから最前段の第一エレメントに向けて冷却用の空気を流すための空気用流路とを備える。
【選択図】図４【図１】
0005440822.tif 000002
【図２】
0005440822.tif 000003
【図３】
0005440822.tif 000004
【図４】
0005440822.tif 000005
【図５】
0005440822.tif 000006
【図６】
0005440822.tif 000007
【図７】
0005440822.tif 000008
【図８】
0005440822.tif 000009
【図９】
0005440822.tif 000010
【図１０】
0005440822.tif 000011
【図１１】
0005440822.tif 000012